(57)【要約】      （修正有）【課題】構造がシンプルで、片手のみの操作でロールペーパーの引き出しと引き出し片の切り取りが可能なロールペーパーホルダを提供する。【解決手段】ロールペーパーを収容保持する容器２と、容器の上部及びそれに続く正面側の側面に形成されている開口３と、開口の少なくとも上部を被覆するように容器に枢設されている蓋４と、回動動作時に開口３の縁部９に掛止する掛止部６ａとロールペーパー１０を切断する切断刃６ｂとを有するとともに、蓋の枢設されていない側の端部寄りに枢設されている切断プレート６と、蓋が枢設されていない側の端部４ｂ寄りで、かつ切断プレート６の裏側に架設されているガイドバー７と、容器に蓋を一時固定する固定構造８と、を備える。【選択図】図１
0003212063.tif 000002
【実用新案登録請求の範囲】
【請求項１】
ロールペーパーを保持しておくためのロールペーパーホルダであって、
前記ロールペーパーを収容保持する容器と、
前記容器の上部及びそれに続く正面側の側面に形成されている開口と、
前記開口の少なくとも前記上部を被覆するように前記容器に枢設されている蓋と、
回動動作時に前記開口の縁部に掛止する掛止部と、ロールペーパーを切断する切断刃とを有し、かつ前記蓋の枢設されていない側の端部寄りに枢設されている切断プレートと、
前記蓋の枢設されていない側の端部寄りで、かつ前記切断プレートの裏側に架設されているガイドバーと、
前記容器に前記蓋を一時固定する固定構造と、を備えていることを特徴とするロールペーパーホルダ。
【請求項２】
前記開口は、前記容器の前記正面側の縁部に又はこの縁部に隣接する位置にその中心軸を基軸に回転し、かつ前記切断プレートが回動した際に前記掛止部が掛止するローラを備えていることを特徴とする請求項１に記載のロールペーパーホルダ。
【請求項３】
前記固定構造は、前記容器又は前記蓋に設けられている磁石と、
この磁石に吸着される金属からなり、前記蓋又は前記容器において前記磁石と接触する位置又は近接する位置に設けられている金属部材と、を備えていることを特徴とする請求項１又は請求項２に記載のロールペーパーホルダ。
【請求項４】
前記蓋は、この蓋を開いた状態に維持しておくためのストッパーを備えていることを特徴とする請求項１乃至請求項３のいずれか１項に記載のロールペーパーホルダ。
【請求項５】
前記ストッパーは、操作用の取手を有し、かつ前記蓋の裏面から前記容器の内部に向かってスライドするとともに、かつその鉛直下方側の端部が前記容器の背面側の内側面に接触するスライド板と、
前記蓋の前記裏面において前記スライド板をスライド可能に保持する保持具と、を備えていることを特徴とする請求項４に記載のロールペーパーホルダ。
【請求項６】
前記保持具は、前記スライド板の左右側縁側のいずれか一方又は両方に、ガイド部材を備えていることを特徴とする請求項５に記載のロールペーパーホルダ。
【請求項７】
前記容器又は前記蓋又はこれらの両方と、一体に又は着脱可能に設けられている錘を備えていることを特徴とする請求項１乃至請求項６のいずれか１項に記載のロールペーパーホルダ。 
【考案の詳細な説明】
【技術分野】
【０００１】
本考案は、ロールペーパーを保持しておくためのロールペーパーホルダに関する。
【背景技術】
【０００２】
はじめに、本考案の考案者は、過去に以下に示す特許を出願している。
特許文献１には「ロールペーパーホルダ」という名称で、ロールペーパーの切断具を備えたロールペーパーホルダに関する発明が開示されている。
特許文献１に開示されるロールペーパーホルダ１Ａは、文献中に記載される符号をそのまま用いて説明すると、ロールペーパー２７を収容する容器部２と、容器部２のロールペーパー導出部近傍に，このロールペーパー導出部を覆うように第１の軸７に軸支されるペーパー切断機構８とを有し、ペーパー切断機構８は、第１の軸７に傾動可能に枢設される支持板１９と、この支持板１９の下端部に第１の枢軸２０を介し，容器部２側に一部重複する部分を備えて傾動可能に支持板１９に連結される傾動板２２とを備え、容器部２は、ロールペーパー導出部の下方近傍に，傾動板２２の上端部２２ａを掛止可能に形成されるストッパー２５を備え、ロールペーパー２７は、容器部２のロールペーパー導出部を経て，容器部２の外側面とペーパー切断機構８の間を通過するように導出されることを特徴とするものである。
このような特許文献１に開示される発明によれば、ロールペーパーを切断した後に、確実にロールペーパーの端部側に次に使用するための摘み代を形成させておくことができる。
【０００３】
また、本願考案と同一の技術分野に属する発明としては以下に示すようなものが知られている。
特許文献２には「ロールペーパー切断装置」という名称で、ロールペーパーの切断具を備えたロールペーパー切断具に関する発明が開示されている。特許文献２に開示される発明は、文献中に記載される符号をそのまま用いて説明すると、ロールペーパー切断装置の前面下部にカッター１１０を備え、内面側に少しの間隔を空けて、ペーパー１０１の引出し方向を変える転向ローラ１１２を固定して設けられたものであり、カッター１１０は外力で外前方向に移動可能で、上記間隔を増加させることができ、転向ローラ１１２の内面側に沿って引き下ろしたペーパー１０１を、前方に引き、カッター１１０に当接させて引くと、カッター１１０は前方に動き、上記間隔が増すように構成され、この間隔の最大値は、ストッパーで制限されており、間隔が最大値になると、引く方向を上方に変えて切断するものである。さらに、ペーパーの切断後、カッター１１０は重力で元の位置に復帰し、ペーパー端部が垂下、露出するよう構成されている。
このような特許文献２に開示される発明によっても次に使用する際の摘み代を形成させておくことができる。
【先行技術文献】
【特許文献】
【０００４】
【特許文献１】特許第４７６８８８４号公報
【特許文献２】特開２０１４−１８３３７号公報
【考案の概要】
【考案が解決しようとする課題】
【０００５】
特許文献１に開示される発明によれば、ロールペーパーを切断した後に、確実にロールペーパーの端部に摘み代を形成させることができるものの、その構造が複雑であるため、量産には向かないという課題を有していた。
【０００６】
特許文献２に開示される発明によれば、特許文献１の場合と同様の効果を発揮させることができるものの、特許文献２に開示される発明の場合は、ロールペーパーをセッティングする際にロールペーパーの芯に軸を挿通させる必要があり、片手のみの使用でロールペーパーを着脱させることが容易でないという課題を有していた。
【０００７】
本考案はかかる従来の事情に対処してなされたものであり、ロールペーパーを切断した後に、ロールペーパーの端部に摘み代を確実に形成させることができ、かつその構造がシンプルで製造が容易であり、かつロールペーパーの設置に軸を用いる必要がなく、しかも片手の使用のみでロールペーパーの出し入れが可能なロールペーパーホルダを提供することにある。
さらなる本考案の目的は、ロールペーパーホルダを壁面に固設することなく独立した状態でかつ携行可能にすることができ、かつ片手のみの使用によりロールペーパーのセッティング、引き出し、及び、引き出し片の切断を行うことができるロールペーパーホルダを提供することにある。
【課題を解決するための手段】
【０００８】
上記課題を解決するため第１の考案であるロールペーパーホルダは、ロールペーパーを保持しておくためのロールペーパーホルダであって、ロールペーパーを収容保持する容器と、この容器の上部及びそれに続く正面側の側面に形成されている開口と、この開口の少なくとも上部を被覆するように容器に枢設されている蓋と、回動動作時に開口の縁部に掛止する掛止部と、ロールペーパーを切断する切断刃とを有し、かつ蓋の枢設されていない側の端部寄りに枢設されている切断プレートと、蓋の枢設されていない側の端部寄りで、かつ切断プレートの裏側に架設されているガイドバーと、容器に蓋を一時固定する固定構造と、を備えていることを特徴とするものである。
上記構成の第１の考案において、容器はロールペーパー収容保持するという作用を有する。また、この容器の上部及びそれに続く側面に形成されている開口は、容器内に収容されるロールペーパーの端部を容器の外に導出させるとともに、容器内にロールペーパーを出し入れすることを可能にするという作用を有する。さらに、蓋は、容器の開口を被覆してロールペーパーの引き出し片以外の部分を被覆するという作用を有する。加えて、切断プレートは、ロールペーパーの切断時に、容器の内側に配されている掛止部で、ロールペーパーの引き出し片を容器の開口の縁部に押しつけて、その引き出し動作を停止させるという作用を有する。また、切断プレートは、引き出し動作が停止されたロール−ペーパーの引き出し片を、容器の外側に配される切断刃により切断することを可能にするという作用を有する。加えてガイドバーは、切断プレートの背面側（裏面側）に設けられることで、容器の開口から導出されたロール−ペーパーの引き出し片が、切断プレートの裏面を直接伝って切断刃に到達するのを妨げるという作用を有する。これにより、切断刃によりロール−ペーパーの引き出し片を切断した際に、容器の開口から導出される引き出し片の長さを、ロール−ペーパーが切断プレートの裏面を直接伝って切断刃に到達した場合の長さよりも長くするという作用を有する。また、固定構造は、切断刃においてロールペーパーを切断するために鉛直上方側に引き上げた際に、この動作に伴って意図せず蓋が開くのを妨げるという作用を有する。
なお、第１の考案における「固定構造」は、切断プレートにおける掛止部と容器の縁部との掛止構造が、蓋の開動作を規制する「固定構造」としても機能する場合と、第１の考案であるロールペーパーホルダを構成する構成要素である容器、蓋、切断プレート及びガイドバー以外に別体の「固定構造」を備えている場合の２つの概念を包含するものである。
【０００９】
第２の考案であるロールペーパーホルダは、上述の第１の考案であって、開口は、容器の正面側の縁部に又はこの縁部に隣接する位置にその中心軸を基軸に回転し、かつ切断プレートが回動した際に掛止部が掛止するローラを備えていることを特徴とするものである。
上記構成の第２の考案は、上述の第１の考案による作用と同じ作用に加えて、容器の正面側の縁部に又はこの縁部に隣接する位置にローラを備えていることで、ローラの材質を適宜選択可能にするという作用を有する。この場合、ローラを滑りにくい材質により構成した場合に、ローラが回転することでロールペーパーの引き出し片をスムーズに導出させるという作用を有する。
また、ローラが滑りにくい材質により構成される場合は、切断プレートの掛止部がローラの周側面上に押し当てられた際に、ロールペーパーの引き出し片の引き出し動作を好適に停止させるという作用を有する。
【００１０】
第３の考案であるロールペーパーホルダは、上記第１又は第２の考案であって、固定構造は、容器又は蓋に設けられている磁石と、この磁石に吸着される金属からなり、蓋又は容器において磁石と接触する位置又は近接する位置に設けられている金属部材と、を備えていることを特徴とするものである。
上記構成の第３の考案は、上述の第１又は第２の考案による作用と同じ作用に加えて、固定構造が磁石と金属板により構成されていることで、固定構造をシンプルにするという作用を有する。これにより、第３の考案の部品点数を少なくしてその製造を容易にするという作用を有する。この結果、第３の考案の生産性を向上させるという作用を有する。
【００１１】
第４の考案であるロールペーパーホルダは、上記第１乃至第３の考案のいずれかであって、蓋は、この蓋を開いた状態に維持しておくためのストッパーを備えていることを特徴とするものである。
上記構成の第４の考案は、上述の第１乃至第３のそれぞれの考案による作用と同じ作用に加えて、ストッパーは、蓋が開いた状態を維持するという作用を有する。
特に、第４の考案を壁面に固設して用いる場合、あるいは、第４の考案を所望の場所（例えば、ベッドサイド等）に設置して用いる場合で、かつ蓋を容器の背面側に回動させることが困難な場合に、蓋を容器の背面側に回動させることなく蓋を開いた状態にしておくという作用を有する。
この作用により、容器内にロールペーパーを設置しようとして蓋を開けた際に、蓋を開いた状態にしておくために手で蓋を支えておく必要がなくなる。
【００１２】
第５の考案であるロールペーパーホルダは、上記第４の発明であって、ストッパーは、操作用の取手を有し、かつ蓋の裏面から容器の内部に向かってスライドするとともに、かつその鉛直下方側の端部が容器の背面側の内側面に接触するスライド板と、蓋の裏面においてこのスライド板をスライド可能に保持する保持具と、を備えていることを特徴とするものである。
上記構成の第５の考案は、上述の第４の考案による作用と同じ作用に加えて、蓋の裏面に設けられるスライド板は、蓋と容器の連結部を跨ぐように配設されることで、開いた状態の蓋が自重で閉じるのを妨げるという作用を有する。
また、保持具はこのスライド板を蓋の裏面にスライド可能に保持するという作用を有する。
したがって、第５の考案によれば、ストッパーにおけるスライド板を容器の内側にスライドさせてスライド板の鉛直下方側の端部を容器の背面側の内側に接触させることで、蓋の回動動作を規制するという作用を有する。
さらに、保持具は蓋の裏面において環状構造を形成しており、この環状構造の中空部内にスライド板が挿設されている。このため、スライド板は、保持具上に突出している又は保持具下に導出されている状態のいずれかになる。また、前者の場合が蓋の回動動作が規制されていない状態であり、後者の場合が開いた蓋の回動動作が規制されている状態である。
【００１３】
第６の考案であるロールペーパーホルダは、上記第５の発明であって、保持具は、スライド板の左右側縁側のいずれか一方又は両方に、ガイド部材を備えていることを特徴とするものである。
上記構成の第６の考案は、上述の第５の考案による作用と同じ作用に加えて、保持具がガイド部材を備えていることで、スライド板のスライド動作をスムーズにするという作用を有する。
【００１４】
第７の考案であるロールペーパーホルダは、上記第１乃至第６の考案のいずれかであって、容器又は蓋又はこれらの両方と、一体に又は着脱可能に設けられている錘を備えていることを特徴とするものである。
上記構成の第７の考案は、上述の第１乃至第３のそれぞれの考案による作用と同じ作用に加えて、第７の考案を壁等に固設することなしに独立させた状態でかつ携行可能にして用いる場合、ロールペーパーの引き出し片を切断プレートの切断刃で切断しようとして引き出し片を鉛直上方側に引き上げた際に、第７の考案であるロールペーパーホルダ全体が持ち上がってしまうのを好適に抑制するという作用を有する。
【考案の効果】
【００１５】
上述のような第１の考案によれば、ロールペーパーホルダを、ロールペーパーを保持するための容器と、ロールペーパーの引き出し片を切断するための切断機構を備えてなる蓋の２つの大きなパーツにより構成することができる。
さらに、このような第１の考案によれば、ロールペーパーホルダの蓋を開いて、ロールペーパーの引き出し片を容器の正面側の開口縁に掛止させながら容器の中空部内にロールペーパーを収容し、この後、蓋を閉じるだけでロールペーパーのセッティング作業を完了することができる。
そして、このような第１の考案によれば、ロールペーパーのセッティングが完了した後、容器の正面側において蓋の下から導出されているロールペーパーの引き出し片を片手１１で摘んで所望量だけ引き出してから、その引き出し片を鉛直上方側に引き上げて切断プレートの下端に設けられている切断刃に押し当てることで、その引き出し片を切り取ることができる。
さらに第１の考案が、容器に蓋を一時固定するための固定構造を備えていることで、ロールペーパーの引き出し片を鉛直上方側に引き上げた際に蓋に、この蓋を開くような力が作用する場合でも、意図せず蓋が開いてしまうのを防止することができる。
しかも、第１の考案では、容器の開口からロールペーパーを引き出して切断する際に、引き出し片がガイドバーを介して切断プレートの切断刃に到達するよう構成されているため、切断後に容器の開口から導出されるロールペーパーの引き出し片は、この引き出し片がガイドバーを介さずに切断刃に到達した場合よりも長くなる。
このため、第１の考案によれば、ロールペーパーの引き出し片を切断した後に、蓋の下に常に、次の使用のためのロールペーパーの摘み代を導出させておくことができる。
つまり、第１の考案によれば、片手のみの使用によりロールペーパーの引き出しと、所望の位置での引き出し片の切断作業を行うことができるので、その操作が極めて簡便である。よって、操作性の優れたロールペーパーホルダを提供することができる。
さらに、第１の考案では、その構造が極めてシンプルであるため、製品の製造も容易になる。この結果、第１の考案の生産性を向上させることができる。
【００１６】
第２の考案は、上述の第１の考案による効果と同じ効果に加えて、容器の開口にローラを備えていることで、開口の縁部（第２の考案ではローラ）とロールペーパーの引き出し片との接触面積を増加させることができる。この場合、切断プレートを回動させてその鉛直上方側に配される掛止部をローラの周側面上に掛止させた際に、より確実にロールペーパーの引き出し片の引き出し動作を停止させることができる。
この結果、第２の考案の操作性を一層向上させることができる。
【００１７】
第３の考案は、上述の第１又は第２の考案による効果と同じ効果に比べて、固定構造を磁石と、この磁石に吸着する金属部材とにより構成することで、固定構造を極めてシンプルにできる。
したがって、第３の発明の製造を一層容易にすることができる。この結果、第３の発明の生産性を向上させることができる。
【００１８】
第４の考案は、上述の第１乃至第３のそれぞれの考案による効果と同じ効果に加えて、蓋がストッパーを備えていることで、必要に応じて蓋が開いた状態を維持しておくことができる。このことは、例えば、第４の考案を壁に固設して用いる場合に、容器の中空部内にロールペーパーをセッティングする際に、開いた状態の蓋を手で支えておく必要がないことを意味している。
つまり、第４の考案によれば、容器へのロールペーパーのセッティング作業を片手の使用のみで行うことができる。
よって、第４の発明によれば、手が不自由な人であっても片手のみの使用で容易に操作することができるロールペーパーホルダを提供することができる。
この結果、第４の発明の操作性を一層向上させることができる。
【００１９】
第５の考案は、上述の第４の考案による効果と同じ効果に加えて、蓋が開いた際に、ストッパーを構成するスライド板が自重で鉛直下方側にスライドして、その下方側の端部が容器の背面側の内側面に接触することで、蓋の閉じる方向への回動動作を規制することができる。この結果、蓋が開いた状態を維持することができる。
また、第５の考案では、容器内に垂下したスライド板の取手の部分に手を掛止してスライド板を鉛直上方側に引き上げることで、スライド板により蓋の回動が規制されている状態を解除することができる。この結果、蓋を閉回動させて閉じることができる。
よって、第５の考案によれば、蓋の構造をシンプルにしつつ、その機能性を向上させることができる。
【００２０】
第６の考案は、上述の第５の考案による効果と同じ効果に加えて、ストッパーの保持具が、ガイド部材を備えていることで、スライド板のスライド動作をスムーズにすることができる。
この結果、第６の考案によれば、上述の第５の考案の操作性を一層向上させることができる。
【００２１】
第７の考案は、上述の第１乃至第６のそれぞれの考案による効果と同じ効果に加えて、容器及び／又は蓋が錘を備えていることで、第７の考案を壁等に固設することなく独立した状態で、例えば、携行できるタイプのロールペーパーホルダとして使用する際に、ロールペーパーの引き出し片を切断しようとして引き出し片を鉛直上方側に引き上げた際に、ロールペーパーホルダ自体が鉛直上方側に釣り上げられてしまうのを防止することができる。
よって、第７の発明によれば、ロールペーパーホルダを設置型としてではなく携行可能にして使用することができる。
この結果、第７の発明によれば、使用者が片手のみの使用によりロールペーパーのセッティングと、ロールペーパーの引き出し片の切り取りを行うことができ、かつ、所望の場所に携行することができるロールペーパーホルダを提供することができる。この場合、トイレ等の特定の設備内でだけでなく、一般の室内においてもロールペーパーを衛生的な状態で使用することが可能になり、ロールペーパーの利便性を向上させることができる。
【図面の簡単な説明】
【００２２】
【図１】本考案の実施例１に係るロールペーパーホルダの蓋を開いた状態の斜視図である。
【図２】本考案の実施例１に係るロールペーパーホルダの切断プレートの斜視図である。
【図３】本考案の実施例１に係るロールペーパーホルダの側面透視図である。
【図４】本考案の実施例１に係るロールペーパーホルダへのロールペーパーの設置方法を説明するための側面透視図である。
【図５】本考案の実施例１に係るロールペーパーホルダを用いてロールペーパーを切断する様子を示す側面透視図である。
【図６】本考案の実施例１の変形例に係るロールペーパーホルダの蓋を開いた状態の斜視図である。
【図７】本考案の実施例２に係るロールペーパーホルダの蓋を開いた状態の側面透視図である。
【図８】本考案の実施例２に係るロールペーパーホルダの蓋を開いた状態の側面透視図である。
【考案を実施するための形態】
【００２３】
本考案の実施の形態に係るロールペーパーホルダについて図１乃至図７を参照しながら詳細に説明する。
【実施例１】
【００２４】
まず、図１乃至図３を参照しながら本考案の実施例１に係るロールペーパーホルダの概要について説明する。
図１は本考案の本考案の実施例１に係るロールペーパーホルダの蓋を開いた状態の斜視図である。また、図２は本考案の実施例１に係るロールペーパーホルダの切断プレートの斜視図である。さらに、図３は本考案の実施例１に係るロールペーパーホルダの側面透視図である。
図１乃至図３に示すように、実施例１に係るロールペーパーホルダ１Ａは、ロールペーパー１０を収容保持する容器２と、この容器２の上部及びそれに続く正面側（図１中に符号Ａで示す側の面）の側面２ａに形成されている開口３と、この開口３の少なくとも上部を被覆するように容器２に枢設されている蓋４と、この容器２に蓋４を一時固定するための固定構造８と、を備えてなるものである。また、実施例１に係るロールペーパーホルダ１Ａは、容器２の開口３における正面側縁部３ａ側にローラ９が架設されている。
加えて、実施例１に係るロールペーパーホルダ１Ａは、蓋４にロールペーパー１０の引き出し片１０ａを切断するための切断機構を備えている。この切断機構は、蓋４の他の端部４ｂ側（蓋４の枢設されない側の端部側）に枢設されている切断プレート６と、同じく蓋４の他の端部４ｂ側でかつ切断プレート６の裏側（背面側）に架設されているガイドバー７とにより構成されている。
さらに、図１乃至図３に示すように、切断プレート６は、この切断プレート６の回動動作時に容器２の開口３に架設されているローラ９の周側面上に掛止する掛止部６ａと、切断プレート６において掛止部６ａが形成されていない側の端部に設けられる切断刃６ｂとを備えている。
【００２５】
なお、本実施の形態においては、切断プレート６に別体の切断刃６ｂを固設している場合を例に挙げて説明しているが、切断プレート６の掛止部６ａが形成されていない側の端部に直接鋸歯状の切断刃を形成しておいてもよい。この場合、切断刃６ｂを別体に設ける場合と比較して作用効果に特に差は生じない。
また、本実施の形態においては、容器２の背面側（図１，３中において符合Ｂで示す方向）の側面２ｂ近傍にヒンジ５を介して蓋４の一の端部４ａを枢設する場合を例に挙げて説明しているが、容器２に対して蓋４が回動可能に枢設されるのであれば、容器２に対する蓋４の取付け構造は特に限定されない。
また、本実施の形態では、蓋４の他の端部４ｂの左右側縁に一対の支持アーム４ｃ，４ｃを突設しておき、この一対の支持アーム４ｃに切断プレート６を枢設するとともに、この一対の支持アーム４ｃのそれぞれの端部側を繋ぐようにガイドバー７が架設されている。したがって、本実施の形態において実施例１に係るロールペーパーホルダ１Ａにおける切断プレート６及びガイドバー７はともに蓋４に設けられているといえる。
【００２６】
さらに、本実施の形態では、図１乃至図３に示すように、切断プレート６の裏面に軸受６ｃを一体に固設しておき、この軸受６ｃに上述の支持アーム４ｃを貫通して設けられる軸６ｄを挿設することにより、切断プレート６を蓋４に枢設している。
【００２７】
また、図１，３に示すように、容器２の中空部内に収容されているロールペーパー１０が破線で示されている。本実施の形態では、容器２の中空部内にロールペーパー１０をセッティングした際に、ロールペーパー１０の引き出し片１０ａに続くペーパーが容器２の底面側に配されているが、この引き出し片１０ａは図１，３に示されているように配置しておく必要がある。
この理由として、例えば図１，３において、容器２の中空部内において、引き出し片１０ａに続くペーパーを開口３側に配しながらロールペーパー１０を収容した場合、引き出し片１０ａを切断した際の反動で、次に使用する際の摘み代となる引き出し片１０ａが容器２の中空部内に引き込まれてしまうためである。
【００２８】
次に、図１乃至図４を参照しながら実施例１に係るロールペーパーホルダ１Ａにおける容器２へのロールペーパー１０のセッティング手順について説明する。
図４は本考案の実施例１に係るロールペーパーホルダへのロールペーパーの設置方法を説明するための側面透視図である。なお、図１乃至図３に記載されたものと同一部分については同一符号を付し、その構成についての説明は省略する。
実施例１に係るロールペーパーホルダ１Ａの容器２にロールペーパー１０をセッティングするには、図４に示すように、まず実施例１に係るロールペーパーホルダ１Ａの蓋４を鉛直上方側に跳ね上げて、容器２の開口３を裸出させる。
次に、開放状態になった開口３の正面側縁部３ａ側に配されているローラ９に、ロールペーパー１０の引き出し片１０ａを掛止させるとともに、この引き出し片１０ａに続くペーパーが容器２の底面側に配されるようにロールペーパー１０を容器２の中空部内に収容する（図４中の破線で示されるロールペーパー１０を参照）。
この後、鉛直上方側に跳ね上げられている蓋４を閉回動させて元の位置に戻すことで、ロールペーパー１０のセッティングは完了する。
【００２９】
続いて、図５を参照しながら実施例１に係るロールペーパーホルダ１Ａにおいてロールペーパー１０の引き出し片１０ａを切り取る手順について詳細に説明する。
図５は本考案の実施例１に係るロールペーパーホルダを用いてロールペーパーを切断する様子を示す側面透視図である。なお、図１乃至図４に記載されたものと同一部分については同一符号を付し、その構成についての説明は省略する。
実施例１に係るロールペーパーホルダ１Ａを用いてロールペーパー１０の引き出し片１０ａを切断するには、先の図３に示される状態において、容器２の側面２ａ上に垂下されている引き出し片１０ａを手１１の指先で摘んで、鉛直下方側又は水平方向に引っ張って所望量だけ引き出す。
この後、図５に示すように、引き出し済の引き出し片１０ａを鉛直上方側に引き上げて、この引き出し片１０ａを切断プレート６の鉛直下方側に設けられている切断刃６ｂの先端に強く押し当てる。
この動作に伴い、図５中において破線で示す位置に配されている切断プレート６が、軸６ｄを基軸に反時計回り（図５中の符号Ｐで示す方向）に回動して、切断プレート６の鉛直上方側に配されている掛止部６ａが、ローラ９の周側面上に掛止した状態になる。この時、ローラ９の周側面と掛止部６ａとの間にロールペーパー１０の引き出し片１０ａが挟まれて、引き出し片１０ａの容器２の外への導出が停止される。この後、引き上げた引き出し片１０ａを切断プレート６の切断刃６ｂに強く押し当てるために、引きだした引き出し片１０ａをさらに強く鉛直上方側（図中の符号Ｑで示す方向）に引き上げる。
そして、この動作に伴って引き出し片１０ａは、切断プレート６の切断刃６ｂの先端位置で切断される。
【００３０】
実施例１に係るロールペーパーホルダ１Ａでは、上述のような動作及び手順によりロールペーパー１０の引き出し片１０ａを切断するため、引き出し片１０ａを鉛直上方に引き上げた際に、蓋４に対してこの蓋４を開放させるように力が作用する。
そして、この時に蓋４が鉛直上方側に跳ね上がってしまうと、掛止部６ａをローラ９に掛止させることができず、引き出し片１０ａの導出を停止させることができないため、結果として引き出し片１０ａを切断することができなくなってしまう。
このため、実施例１に係るロールペーパーホルダ１Ａは、引き出し片１０ａを切断しようとして鉛直上方側に引き上げた際に、蓋４が開いてしまわないように、容器２に蓋４を一時的に固定しておくための固定構造８を備えている。
【００３１】
このような蓋４の固定構造８は、蓋４の固定状態（蓋４の開回動を規制している状態）と、その解除を容易に切り替えることができれば、どのような構造を用いてもよい。
例えば、本実施の形態における切断プレート６の掛止部６ａとローラ９とからなる掛止構造を備え、ローラ９に掛止部６ａが掛止することのみで蓋４の開回動を確実に妨げることができる場合は、切断プレート６の掛止部６ａとローラ９が、実施例１に係るロールペーパーホルダ１Ａの固定構造８としても機能することになる。
また、例えば、固定構造８としては、特に図示しないが、フックを容器２又は蓋４に設け、さらに、このフックの掛止具を蓋４又は容器２に設けておき、手動でフックの掛止状態とその解除を切り替えてもよい。
あるいは、図１，図３乃至図５に示すように、例えば、固定構造８を磁石８ａとこの磁石８ａに吸着する金属部材８ｂとにより構成した場合は、磁石の吸着力により、引き出し片１０ａの切断時には蓋４が開くことがなく、それ以外の場合は、磁石の吸着力よりも大きな力で蓋４を押し上げることで容易に蓋４を開くことができる。
そして、実施例１に係るロールペーパーホルダ１Ａにおいて、固定構造８を例えば磁石８ａ及びそれに吸着する金属部材８ｂにより構成する場合は、ロールペーパーホルダ１Ａの構造を極めてシンプルにしつつ、蓋４のロック状態とその解除を容易に切り替え可能にできるというメリットを有している。
なお、本実施の形態においては図１，図２乃至図５に示すように、容器２に固定構造８としての磁石８ａを、また、蓋４にこの磁石８ａに吸着する金属部材８ｂを設ける場合を例に挙げて説明しているが、磁石８ａと金属部材８ｂの取り付け位置を入れ替えてもよい。また、磁石８ａに吸着する金属部材８ｂとしては、例えば、鉄、ニッケル、コバルト及びこれらを含有する合金等を使用することができる。
なお、同様の機能を有するものとして例えば、固定構造８としてオス・メスタイプからなる面ファスナを採用することもできる。
【００３２】
なお、実施例１に係るロールペーパーホルダ１Ａにおいて、ローラ９の周側面の材質を例えば、ゴム、シリコン、あるいは表面を平滑化していない木材、樹脂材等により構成することで、ローラ９にロールペーパー１０を掛止した際に、ローラ９の表面において引き出し片１０ａを滑り難くすることができる。
このようにローラ９の表面が平滑でない場合、引き出し片１０ａの引き出し時にローラ９がその中心軸を基軸に回転するので引き出し片１０ａの引き出し動作に支障は生じない。
さらに、ローラ９の表面が平滑でないことで、切断プレート６が軸６ｄを基軸に回動して掛止部６ａがローラ９の表面上に掛止した際に、ローラ９と掛止部６ａの間にしっかりとロールペーパー１０の引き出し片１０ａを保持しておくことができる。
なお、ローラ９自体を上述のような表面が平滑でない材質により構成してもよいが、ローラ９の周側面に表面が平滑でない材質からなる部材を貼設することによっても同様の効果を発揮させることができる。
【００３３】
ここで、実施例１の変形例に係るロールペーパーホルダについて図６を参照しながら説明する。
図６は本考案の実施例１の変形例に係るロールペーパーホルダの蓋を開いた状態の斜視図である。なお、図１乃至図５に記載されたものと同一部分については同一符号を付し、その構成についての説明は省略する。
図６に示すように実施例１の変形例に係るロールペーパーホルダ１Ａ´は、先の実施例１に係るロールペーパーホルダ１Ａと同じ作用効果を有するものであるが、容器２がローラ９を備えておらず、切断プレート６の掛止部６ａが容器２に形成される開口３の正面側縁部３ａに直接掛止するよう構成されるものである。
【００３４】
この場合、開口３の正面側縁部３ａの表面は、ロールペーパー１０の引き出し片１０ａがスムーズに引き出すことができるよう平滑であることが望ましい。
他方、この場合、切断プレート６が軸６ｄを基軸に回動して開口３の正面側縁部３ａに掛止した際に、正面側縁部３ａと掛止部６ａによる引き出し片１０ａの十分な挟持効果が発揮されないおそれがある。
このような事情に鑑み、例えば、切断プレート６の掛止部６ａにおいて開口３の正面側縁部３ａに掛止する面を平滑でない状態にしておくとよい。
より具体的には、切断プレート６自体をその表面が平滑でない材質により構成する、あるいは、切断プレート６の掛止部６ａにおいて開口３の正面側縁部３ａに掛止する面に表面が平滑でない部材を貼設することによって、十分なロールペーパー１０の滑り止め及び保持効果を発揮させることができる。
【００３５】
あるいは、切断プレート６の掛止部６ａにおいて、開口３の正面側縁部３ａと接触する部位の形状が、正面側縁部３ａの表面形状と一致又は略一致していれば、掛止部６ａと正面側縁部３ａとによる引き出し片１０ａの十分な挟持効果を発揮させることができる。
また、開口３の正面側縁部３ａの表面形状を所望の形状に成形することが難しい場合は、容器２の側面２ａの上端である正面側縁部３ａを、側面２ａを構成する部材の単なる切断端とし、切断プレート６の掛止部６ａにおいて開口３の正面側縁部３ａに接触する側の面に、ゴム又はシリコン等の弾性材、又は、発泡ウレタン材等の低反発材等を設けておくことで、掛止部６ａと正面側縁部３ａとによる引き出し片１０ａの挟持効果を発揮させることができる。
【００３６】
なお、切断プレート６の切断刃６ｂにおいて引き出し片１０ａを切断しようとして引き出し片１０ａを鉛直上方に引き上げた際に、引き出し片１０ａがそれ以上導出されなければ、切断プレート６の掛止部６ａと開口３の正面側縁部３ａとの間で引き出し片１０ａの十分な挟持効果が発揮されていると判断することができる。
また、実施例１の変形例に係るロールペーパーホルダ１Ａ´において、切断プレート６の掛止部６ａと、容器２の正面側縁部３ａとからなる掛止構造により、蓋４の開回動を規制することができる場合は、切断プレート６の掛止部６ａと、容器２の正面側縁部３ａとからなる掛止構造が、実施例１の変形例に係るロールペーパーホルダ１Ａ´における固定構造８として機能する。
【実施例２】
【００３７】
次に図７，８を参照しながら実施例２に係るロールペーパーホルダ１Ｂについて詳細に説明する。
図７は本考案の実施例２に係るロールペーパーホルダの蓋を開いた状態の側面透視図であり、図８は本考案の実施例２に係るロールペーパーホルダの蓋を開いた状態の側面透視図である。なお、図１乃至図６に記載されたものと同一部分については同一符号を付し、その構成についての説明は省略する。
先の実施例１及びその変形例に係るロールペーパーホルダ１Ａ，１Ａ´では、蓋４を開けた際に、その状態を維持しておくために人の手で蓋４を支えておくか、あるいはロールペーパーホルダ１Ａ，１Ａ´が壁面に固設される場合は、鉛直上方側に跳ね上げた蓋４を壁面に立て掛けてその状態を維持しておく必要があった。
また、特に図示しないが、例えば、容器２の内側にヒンジ５を配することで、蓋４を容器２の背面側の側面２ａに直に枢設することができる。この場合、蓋４が支持アーム４ｃや切断プレート６並びにガイドバー７を備えているせいで、蓋４のヒンジ５が設けられない側の端部の荷重が大きくなり、ロールペーパーホルダ１Ａ，１Ａ´の設置面である壁面に蓋４を上手く立て掛けておけない場合も想定される。
このような事情に鑑み、実施例２に係るロールペーパーホルダ１Ｂは、蓋４を鉛直上方側に回動させて開いた際に、蓋４を開いた状態に維持しておくためのストッパー１２を設けたものである。
【００３８】
実施例２に係るロールペーパーホルダ１Ｂにおけるストッパー１２は、図７に示すように、操作用の取手１３ａを有し、かつ蓋４の裏面（内側面）から容器２の内部に向かってスライド（垂下）するとともに、かつその鉛直下方側の端部が容器２の背面側（図７中の符合Ｂで示す側）の側面２ｂの内側面に接触するスライド板１３と、蓋２の裏面においてこのスライド板１３をスライド可能に保持する保持具１４と、により構成されるものである。
そして、このような実施例２に係るロールペーパーホルダ１Ｂのストッパー１２では、例えば、容器２の中空部内にロールペーパー１０をセッティングしようとして蓋４を鉛直上方側に押し上げて開いた際に、保持具１４に保持されているスライド板１３が自動的に鉛直下方側に垂下して（図８を参照）、その鉛直下方側の端部が容器２の背面側の側面２ｂの内側に接触することで、蓋４の回動が妨げられる。
つまり、実施例２に係るロールペーパーホルダ１Ｂにおいて、ストッパー１２のスライド板１３はいわば突っ張り棒のような役割を果たす。
このような実施例２に係るロールペーパーホルダ１Ｂによれば、開いた蓋４を必要に応じて開いたままの状態にしておくことができる。
この場合、図８に示すように、容器２へのロールペーパー１０のセッティング作業を完全に片手のみで行うことができる。
【００３９】
さらに、容器２へのロールペーパー１０のセッティング作業が完了した後は、図８に示すように、再び片手の指先をスライド板１３の取手１３ａに掛止して、スライド板１３を鉛直上方側に引き上げてやることで、蓋４は支えを失って開口３の正面側縁部３ａに向かって回動し、この結果、蓋４が閉じた状態になる。
なお、実施例２に係るロールペーパーホルダ１Ｂにおいてスライド板１３の鉛直上方側に形成されている取手１３ａは、スライド板１３が保持具１４に支えられながらスライドした際に、保持具１４の下に抜け落ちてしまわないようにするための抜け止め防止構造としても機能する。
また、スライド板１３を鉛直上方側に引き上げた際に、スライド板１３が保持具１４から抜けて外れてしまわないようにするために、スライド板１３の鉛直下方側の端部にも、図７，８に示すような突起状の抜け止め１３ｂを設ける又は形成しておいてもよい。
【００４０】
さらに、特に図示しないが、スライド板１３の左右側縁側のいずれか一方又は両方に、スライド板１３のスライド動作を補助するためのガイド部材を備えていてもよい。
この場合、蓋４を開いた際にスライド板１３を鉛直下方側に抵抗を軽減しながらスムーズに垂下させることができるので、実施例２に係るロールペーパーホルダ１Ｂの操作性を大幅に向上させることができる。
また、蓋４のストッパー１２の形態は、図７，８に記載される形態に特定される必要はなく、特に図示しないが、保持具１４の機能とガイド部材の機能を兼ね備えた１種類の部材でスライド板１３を保持してもよい。あるいは、図示される形態以外で、蓋４を必要に応じて支えておくことのできる構造であれば支障なく使用することができる。
なお、実施例１の変形例に係るロールペーパーホルダ１Ａ´が備えるストッパー１２に関する構成は、実施例２に係るロールペーパーホルダ１Ｂにも付加することができる。
【００４１】
上述の実施例１及びその変形例、並びに、実施例２に係るロールペーパーホルダ１Ａ，１Ａ´，１Ｂはともに壁面等に固設して用いる場合を想定している。
しかしながら、これらのロールペーパーホルダ１Ａ，１Ａ´，１Ｂは、壁面等に固設しないでそれぞれ独立した状態で使用することも考えられる。
より具体的には、介護や育児等の現場においてロールペーパー１０を、トイレ等の特定の設備内においてではなく、一般の室内の任意の場所で使用する場合が想定される。
このような環境下においてロールペーパーホルダ１Ａ，１Ａ´，１Ｂが有する独自の課題として、ロールペーパーホルダ１Ａ，１Ａ´，１Ｂを用いてロールペーパー１０の引き出し片１０ａを切断する際に、引き出し片１０ａの引き上げに伴ってロールペーパーホルダ１Ａ，１Ａ´，１Ｂ自体が引き上げられて宙吊り状態になってしまい、上手く引き出し片１０ａを切断することができないという課題が生じることが想定される。
【００４２】
このような課題に対処するため、実施例１及びその変形例、並びに、実施例２に係るロールペーパーホルダ１Ａ，１Ａ´，１Ｂはともに、容器２に又は蓋４に、あるいは、容器２と蓋４の両方に、一体に又は着脱可能に錘（図示せず）を備えていてもよい。
この場合、実施例１及びその変形例、並びに、実施例２に係るロールペーパーホルダ１Ａ，１Ａ´，１Ｂを壁面等に固設しないで、独立させた状態で携行可能にして使用することができる。
あるいは、実施例１及びその変形例、並びに、実施例２に係るロールペーパーホルダ１Ａ，１Ａ´，１Ｂに係る容器２や蓋４を、それ自体が重たい材質により構成することによっても同様の効果を発揮させることができる。
また、切断プレート６の先端に設けられる切断刃６ｂの切れ味を良くすることで、容器２及び／蓋４の重量が比較的小さくても、ロールペーパーホルダ１Ａ，１Ａ´，１Ｂの吊り上がりを防止しながらロールペーパー１０の引き出し片１０ａを切断することが可能になる。
このように、実施例１及びその変形例、並びに、実施例２に係るロールペーパーホルダ１Ａ，１Ａ´，１Ｂを独立した状態でかつ携行可能にしながら使用できるよう構成する場合でも、ロールペーパーホルダ１Ａ，１Ａ´，１Ｂのそれぞれに対して片手のみの使用でロールペーパー１０のセッティングを行うことができ、さらに、片手のみの使用によりロールペーパーホルダ１Ａ，１Ａ´，１Ｂにおいてロールペーパー１０の引き出し片１０ａを切断できるようにすることができる。
このように壁面等に固設しないで、実施例１及びその変形例、並びに、実施例２に係るロールペーパーホルダ１Ａ，１Ａ´，１Ｂを使用できるよう構成することで、ロールペーパーホルダ１Ａ，１Ａ´，１Ｂをトイレ等の特定の設備においてではなく、介護や育児等の様々な現場において使用できるようになる。
【００４３】
さらに、特に図示しないが、実施例１及びその変形例、並びに、実施例２に係るロールペーパーホルダ１Ａ，１Ａ´，１Ｂの容器２の背面側の側面２ｂに、例えば、フック等の掛止具やボルト等の固定具を設けておき、ベッドサイド等にロールペーパーホルダ１Ａ，１Ａ´，１Ｂを着脱可能に設置してもよい。
この場合、ロールペーパー１０の引き出し片１０ａを切断しようとしてロールペーパー１０を鉛直上方側に引き上げた際に、容器２が浮き上がらないのであれば、容器２や蓋４あるいはこれらに上述のような錘を一体に又は着脱可能に設ける必要はないが、そうでない場合は錘を付加する、あるいは、容器２や蓋４を重量物により構成する必要がある。
【００４４】
さらに、実施例１及びその変形例、並びに、実施例２に係るロールペーパーホルダ１Ａ，１Ａ´，１Ｂを壁面等に固設しないで携行可能な状態で使用する場合、容器２を載置面上に置いた際に、載置面近くに引き出し片１０ａの端部が位置することになり摘みにくくなってしまうという懸念がある。
このような事情に対処するため、実施例１及びその変形例、並びに、実施例２に係るロールペーパーホルダ１Ａ，１Ａ´，１Ｂでは、容器２を例えば、先の図３に示す方向から見た場合に、容器２全体が反時計回り方向に３０−４５度の範囲内に回動させた状態で載置面上に置けるように容器２の形状を変更してもよい。
この場合、載置面上に実施例１及びその変形例、並びに、実施例２に係るロールペーパーホルダ１Ａ，１Ａ´，１Ｂを置いて使用する場合に、ロールペーパー１０の引き出し片１０ａの端部を摘みやすくすることができる。
これにより、実施例１及びその変形例、並びに、実施例２に係るロールペーパーホルダ１Ａ，１Ａ´，１Ｂの操作性を一層向上させることができる。
【産業上の利用可能性】
【００４５】
以上説明したように、本考案は構造がシンプルで製造が容易であり、片手のみの使用でロールペーパーの引き出し片を引き出して切り取ることができ、さらに、必要に応じて壁面等に固設しないで単独で使用でき、かつ携行可能なロールペーパーホルダであり、衛生用品、介護用品、育児用品等に関する技術分野において利用可能である。
【符号の説明】
【００４６】
１Ａ，１Ａ´，１Ｂ…ロールペーパーホルダ  ２…容器  ２ａ…側面（正面側）  ２ｂ…側面（背面側）  ３…開口  ３ａ…正面側縁部  ４…蓋  ４ａ…一の端部  ４ｂ…他の端部  ４ｃ…支持アーム  ５…ヒンジ  ６…切断プレート  ６ａ…掛止部  ６ｂ…切断刃  ６ｃ…軸受  ６ｄ…軸  ７…ガイドバー  ８…固定構造  ８ａ…磁石  ８ｂ…金属部材  ９…ローラ  １０…ロールペーパー  １０ａ…き出し片  １１…手  １２…ストッパー  １３…スライド板  １３ａ…取手  １３ｂ…抜け止め  １４…保持具
【図１】
0003212063.tif 000003
【図２】
0003212063.tif 000004
【図３】
0003212063.tif 000005
【図４】
0003212063.tif 000006
【図５】
0003212063.tif 000007
【図６】
0003212063.tif 000008
【図７】
0003212063.tif 000009
【図８】
0003212063.tif 000010